(57)【要約】【課題】  画像形成装置及び、それに装着可能な装置の外装の再利用において、溶解再生等のリサイクル工程に回すのではなく、できるだけ、洗浄等の工程は入るがそのまま、同機種、種類の異なる機種に使用可能であるリユースの工程へ回す事。【解決手段】  外装の構成を、機械動作中に露呈される表面部材と強度、機能を有するフレーム部材に分けて構成する。その時、表面部材、フレーム部材とも１つの部品以上で構成されている。  そしてフレーム部材の一部、もしくはすべてが種類の異なる装置のフレーム部材として使用が可能な構成である。【選択図】  図２
2008158132.tif 000002
【特許請求の範囲】
【請求項１】
外装部材において、該外装部材の構成は、通常時、外部に露呈される表面部材と前記外装部材の強度および、回転支持部や装置本体との接続部の機能を有したフレーム部材からなり、前記表面部材とフレーム部材は分割可能な構成であり、且つ、前記フレーム部材が、種類の異なる装置のフレーム部材として使用可能な構成である事を特徴とする外装部材。
【請求項２】
外装部材において、該外装部材の構成は、通常時、外部に露呈される表面部材と前記外装部材の強度および、回転支持部や装置本体との接続部の機能を有したフレーム部材からなり、前記表面部材とフレーム部材は分割可能な構成であり、且つ、前記フレーム部材が、複数の部材から構成されその一部が種類の異なる装置のフレーム部材として使用可能な構成である事を特徴とする外装部材。
【請求項３】
前記、外装部材におけるフレーム部材の重量割合が50％以上である請求項1及び2の装置の外装部材。
【発明の詳細な説明】
【技術分野】
【０００１】
本発明は、プリンター、複写機、ファクシミリ、複合機などの、画像形成装置及び、それに接続可能な装置等の外装部品のリユースに関するものである。
【背景技術】
【０００２】
従来、プリンター、複写機、ファクシミリ、複合機などの、画像形成装置の外装においては、装置の軽量化、大量生産性等を考慮して、エンジニアプラスチックを用いて形成していた。
【０００３】
そして、その外装を再利用する際には、外装であるがゆえ、その表面に傷、打痕、変色等がどうしても見受けられ、そのままその外装を新たに別の機械に利用するというリユース（再利用）と言う工程にて再利用する事は行われておらず、その外装ごと、リサイクル（融解再生）工程にてもう一度、材料の段階に戻してから、新たに成型工程を経て新規の外装とて利用していた。その改善の提案として、リサイクル工程に不必要な部分（インサート金属部）の取り外し性の向上が提案（特許参考文献1）されている。又、外装部材の構成として、表面部と補強部に分かれて構成し、その締結方法、個々のリサイクルに関しての提案（特許参考文献2）がある。
【特許文献１】特開平10-211485号公報  （要約）
【特許文献２】特開2001-246807号公報  （図7）
【発明の開示】
【発明が解決しようとする課題】
【０００４】
しかしながら、特許文献1の場合においては、外装部のカバーのほとんどそのまま、ある程度の大きさ、重量を有した状態で、リサイクル工程回される。そのゆえに、分解、洗浄、融解、成型等に関わるコストや時間及び物流、保管等の手間などがかかるという問題が内在していた。
【０００５】
又、特許文献2においては、外装の複数部材化が提案されているが、その中で提案されているものは、外装の補強としての部材が提案されているもので、機能部品としての提案、及び種類の異なる機種への対応等は考慮されていない。
【課題を解決するための手段】
【０００６】
本発明においては、外装をリサイクル工程に回すのではなく、部分的にでもリユース可能とする事。及び、複数部材にて構成されたフレーム部材に対して、単に補強という観点ではなく、機能を具備させると共に、種類の異なる装置への転用を可能とするべく、以下の構成とする。
【０００７】
（１）外装を表面の外観的な要素を必要とする表面部材と強度、機能を有したフレーム部材で構成し、その両部材は着脱可能に締結されている。
【０００８】
（２）表面部材とフレーム部材の重量を比較すると、フレーム部材のほうが重量がある。
【０００９】
（３）フレーム部材の有する機能としては、回転支持部、画像形成装置連結部、エアフロー用の開口部を有する等の機能がある。
【００１０】
（４）フレーム部材は、複数の部材より構成され、該フレーム部材の一部の部材は、種類の異なる画像形成装置のフレーム部材を構成する部材と共通の部材である。
【００１１】
以上のような構成とする事により、今まで、リサイクル工程に回すしかなかった外装部材の内、重量割合において50％以上をリユースする事を可能にすると共に、フレーム部材を構成する部材の一部を種類の異なる画像形成装置への転用が可能となり、該フレーム部材のリユースに関する汎用性/利便性を向上させた。
【発明の効果】
【００１２】
本発明による効果としては、リサイクル工程に回すしかなかった、外装に対しては、その重量割合で約50%以上がリユース可能となり、装置全体のリユース率の向上に大きく寄与できるだけではなく、フレーム部材そのもの、もしくはその一部を種類の異なる装置のフレーム部材と共通にすることにより、装置の生産量に応じて変化する、必要な部材を適宜供給可能するだけではなく、廃棄される部材が相対的に減少する為、資源全体のリデュースにも貢献可能である。
【発明を実施するための最良の形態】
【００１３】
（実施例１）
以下、本発明の実施の形態について図面を用いて詳細に説明する。
【００１４】
図1は、本発明の実施の形態に係る画像形成装置の一例であるデジタル複合複写機の正面図である。1はデジタル複合複写機本体である。2はフロントカバーであり、画像形成装置の部品交換化、消耗品の補給、ＪＡＭ処理時の作業等に図中左側を支点として開閉する。
【００１５】
3は給紙デッキ1の正面カバーである。
【００１６】
図2は、フロントカバー2を取り出し、背面より見たものである。フロントカバー2は通常時、外側に面する、表面部材21と内側に面するフレーム部材22からなっており、該表面部材21はエンジニアプラスチック等の材料で形成されている。勿論、一つの部材で形成される場合もあるが、他の部材とで複合的に構成される場合もある。
【００１７】
フレーム部材22はフロントカバー21の強度的なものを補助する補強板的な要素と、回転支持部、ノイズ遮蔽機能等の機能的な要素とを有し、更に本発明においては、フレーム部材を複数の部材からなる構成とし、その部材の一部もしくは、すべてが、種類の異なる画像形成装置等の機械のフレーム部材として利用可能な構成としている。
【００１８】
図２においては、外フレーム23、内フレーム24は分割可能に締結されおり、フロントカバーの全体の強度を担っている。回転支持手段25は外フレーム22に締結されており、フロントカバー2の回転するときの支持部材となっている。本図においては、外フレーム23、内フレーム24、回転支持手段25を持ってフレーム手段2としている。
【００１９】
この段階における、表面部材21とフレーム部材22の重量を比較すると、通常はフレーム部材の方が重たくなっており、フロントカバー2のリユース重量割合50％以上となる。
【００２０】
又、フロントカバー2を回転開放した時に、内側に面しているフレーム部材がユーザー等の視線に入る事を防ぐ為に、フレーム部材22を挟み込むように、不図示のカバーやフィルム等を設けても構わない。
【００２１】
更に、本図においては、表面部材21とフレーム部材22をエンジニアプラスチックと金属板というように、種類の異なる材料で図示しているが、本発明上、その材料の相違に拘るものではない。
【００２２】
図３は種類の異なる画像形成装置の正面図である。30はデジタル複合複写機本体である。31はフロントカバーである。
【００２３】
図4は、フロントカバー31を取り出し、背面より見たものである。フロントカバー31は通常時、外側に面する、表面部材32と内側に面するフレーム部材33からなっており、該表面部材32はエンジニアプラスチック等の材料で形成されている。
【００２４】
フレーム部材33はフロントカバー32の強度的なものを補助する補強板的な要素と、回転支持部、ノイズ遮蔽機能等の機能的な要素とを有し、更に本発明においては、フレーム部材を複数の部材からなり、その構成は、図2において説明した内フレーム24と回転支持手段25からなり、本部材は異なった種類の機械間において使用可能である。
【００２５】
図5は、従来の外装部材の構成を示したもので、フロントカバー41の構成としては、化粧部材、銘判、シール等が付属することもあるが、一体のメインカバー41と回転支持手段25からなっている。そして、そのメインカバー41はリユース工程ではなく、リサイクル工程にまわされていた。
【００２６】
（実施例2）
図6はその他の実施例を示したものであり、フロントカバーを構成する、表面部材とフレーム部材の一部が同じ材質のもので構成したものである。フロントカバー45の構成としては、表面部材46、フレーム部材45からなり、フレーム部材はインナーカバー49、サブフレーム48、回転支持手段25より構成されており、表面部材46とインナーカバー49はエンジニアプラスチック等で形成されている。
【００２７】
しかしながら、表面部材46はリサイクル工程、インナーカバー49リユース工程にて再利用される。
［産業上の利用可能性］
画像形成装置、及び該装置に接続可能な装置等の外装に関する。
【図面の簡単な説明】
【００２８】
【図１】実施例1に関わる画素形成装置の正面図
【図２】図１に示す画像形成装置のフロントカバーの構成を示す図背面図
【図３】実施例1に関わる種類の異なる画素形成装置の正面図
【図４】図2に示す種類の異なる画像形成装置のフロントカバーの構成を示す背面図
【図５】従来のフロントカバーの構成を示す背面図
【図６】実施例2に関わる画素形成装置のフロントカバーの構成を示す背面図
【符号の説明】
【００２９】
1、30  画像形成装置
2、31、41、45  フロントカバー
21、32、41、46  表面部材
22、33、47  フレーム部材
23  外フレーム
24  内フレーム
25  回転支持部材
48  サブフレーム
49  インナーカバー
【図１】
2008158132.tif 000003
【図２】
2008158132.tif 000004
【図３】
2008158132.tif 000005
【図４】
2008158132.tif 000006
【図５】
2008158132.tif 000007
【図６】
2008158132.tif 000008